(57)【要約】【課題】折り畳み式ペットキャリーボックスの提供。【解決手段】本発明のペットキャリーボックスは特に折り畳み式の逆Ｕ形上板とＵ形底板を十字に交差させて構成するペットキャリーボックスであり、前記逆Ｕ形上板両側の底部には内側に折れ曲がる結合用の二つの翼片を設けてＵ形底板の対応する両側を結合固定し、逆Ｕ形上板の前後開口に対応するＵ形底板両側には上向きの前方面板と後方面板を設けて逆Ｕ形上板前後開口を封鎖し、逆Ｕ形上板の前後開口、前方門板、後方門板の左右と上部の三箇所には開口で外に向いた孤形折曲線を設け、これにより相互に対応する弧形斜角面が形成されてボックスの構造強度を高め、相互に対応する弧形斜角面上には相互に嵌合定位する雌止具と雄止具を備え、逆Ｕ形上板とＵ形底板とを定位させて一つのボックス体を形成する。逆Ｕ形上板とＵ形底板は開いて折り畳むことができるため小体積且つ空間節約を実現することを特徴とする。【選択図】図４
2012010681.tif 000002
【特許請求の範囲】
【請求項１】
折り畳み式の逆Ｕ形上板とＵ形底板を十字に交差させて組み合わせ、逆Ｕ形上板左右両側門板の底部に内側方向に折れ曲がる結合用の二つの翼片を設け、これを使い対応するＵ形底板の両側を結合固定し、逆Ｕ形上板の前後開口に対応しＵ形底板両側に設ける上向きの前方門板と後方面板によって逆Ｕ形上板の前後開口を封鎖し、逆Ｕ形上板、Ｕ形底板と前後左右の門板間には開口で外に向いた孤形折曲線を設け、これにより相互に対応する弧形斜角面を形成し、相互に対応する弧形斜角面上に備えた相互に嵌合定位する雌止具と雄止具は、逆Ｕ形上板とＵ形底板とを定位させて一つのボックス体を形成し、逆Ｕ形上板とＵ形底板の前後左右の門板には若干の通風孔を備えることを特徴とする折り畳み式ペットキャリーボックス。
【請求項２】
通風孔に対応する前記逆Ｕ形上板と前記Ｕ形底板の前後左右の門板箇所には空気調節板を設け、前記空気調節板表面には通風孔にぴったり合う調節孔を設け、空気調節板両側には長形の可動孔を設け、リベット固定部品を可動孔に通して前後左右の門板上に枢着固定し、前記可動孔を使って前記空気調節板を位置移動して通風孔の大きさを調節することを特徴とする請求項１記載の折り畳み式ペットキャリーボックス。
【請求項３】
前記逆Ｕ形上板の上面に取手を設けることを特徴とする請求項１記載の折り畳み式ペットキャリーボックス。
【請求項４】
前記逆Ｕ形上板両側の雄止具にはショルダーベルトの両端のナスカンを引き掛けるための引掛孔を設けることを特徴とする請求項１記載の折り畳み式ペットキャリーボックス。
【請求項５】
前記Ｕ形底板内面には洗浄可能なクッションを敷くことを特徴とする請求項１記載の折り畳み式ペットキャリーボックス。
【発明の詳細な説明】
【技術分野】
【０００１】
本発明の折り畳み式ペットキャリーボックスは主に折り畳み可能なペットキャリーボックスの技術に応用するものである。
【背景技術】
【０００２】
公知のペットキャリーボックスは折り畳みが不可能で、包装、運送、在庫、携帯、収納の何れにも非常にスペースをとるため、解決が待たれる問題点が已然として存在する。
【発明の概要】
【発明が解決しようとする課題】
【０００３】
本発明者は現在、製品に関連する製造、設計に長年従事してきた実務経験と理解に基づいて公知のペットキャリーボックスに存在する前記問題点に対し積極的な創造と改良に取り組み、その精神で折り畳み式ペットキャリーボックスを完成する。
【課題を解決するための手段】
【０００４】
本発明の課題を解決するために応用する技術手段及び公知技術と比較した効果は次のとおりである。即ち、ペットキャリーボックスは基本的に二つを十字に交差させて配置する逆Ｕ形上板とＵ形底板を備え、逆Ｕ形上板両側の底部には内側に折れ曲がる二つの翼片を設けてＵ形底板を固定する。Ｕ形底板両側には上方向に折れ曲がる前方面板、後方面板を設けて逆Ｕ形上板前後開口を封鎖し、逆Ｕ形上板前後開口と前方門板と後方面板の左右、上部の三箇所には開口で外に向いた孤形折曲線を設け、これにより相互に対応する弧形斜角面を形成し、相互に対応する弧形斜角面上には相互に嵌合定位する雌止具と雄止具を備え、逆Ｕ形上板とＵ形底板とを定位させて一つのボックス体を形成する。
【発明の効果】
【０００５】
本発明の提供するペットキャリーボックスは前後開口の三箇所に弧形斜角面を設置し、紙板、プラスチック板の何れを使用しても大幅にペットキャリーボックスの構造強度を高め、更に大きな作用力を受け止められる故に簡単に損傷や変形を発生させず、効果の増進によって主目的を達成する。
【０００６】
前記本発明の提供するペットキャリーボックスは逆Ｕ形上板とＵ形底板により構成されるため、包装、運輸、在庫、携帯、収納の何れの場合においても軽薄短小、空間節約効果は明らかであり、これらの効果増進によって次目的を達成する。
【図面の簡単な説明】
【０００７】
【図１】本発明の正面立体図である。
【図２】本発明の背面立体図である。
【図３】本発明の前方門板を開いた状態の立体図である。
【図４】本発明の立体分解図である。
【図５】本発明の組立断面図である。
【図６】本発明の逆Ｕ形上板に関する展開図である。
【図７】本発明のＵ形底板に関する展開図である。
【図８】本発明の雄止具と雌止具に関する嵌合定位状態図である。
【図９】本発明の携帯状態図である。
【図１０】本発明の使用状態図である。
【図１１】本発明の空気調節状態図である。
【図１２】本発明の折り畳み状態図（１）である。
【図１３】本発明の折り畳み状態図（２）である。
【図１４】本発明の別の実施例に関する立体図である。
【発明を実施するための形態】
【０００８】
本発明の装置内容及び達成可能な効果を当該技術熟知者に理解して戴くために、次に図面を組み合わせた具体的な実施例をもとに詳細説明を行う。
【０００９】
図１乃至図３に本発明の折り畳み式ペットキャリーボックスに関する正面、背面、前方門板を開いた状態の立体図を示し、図４、図５には本発明の立体分解図及び組立断面図を示し、図６及び図７には本発明の逆Ｕ形上板とＵ形底板に関する展開図を示し、ペットキャリーボックスは主に逆Ｕ形上板、Ｕ形底板、空気調節板、洗浄可能なクッション４０により構成される。
【００１０】
逆Ｕ形上板１０の左右両側門板の底部に内側方向に折れ曲がる二つの翼片１１を設け、若干のリベット固定部品ＰでＵ形底板２０の対称となる両側に連結固定する。
【００１１】
逆Ｕ形上板１０の前後開口の両側は上方向に折り曲げて前方門板２１と後方門板２２を設け、前方門板２１と後方門板２２の底部と逆Ｕ形上板１０の両側は連結して一体をなす。
【００１２】
逆Ｕ形上板１０前後開口と前方門板２１と後方門板２２の左右、上部の三箇所には開口で外に向いた孤形折曲線を設け、これにより相互に対応する弧形斜角面２３、弧形斜角面１２を形成し、相互に対応する弧形斜角面２３、弧形斜角面１２上には相互に嵌合定位する雌止具２４と雄止具１３を備え（図８参照）、逆Ｕ形上板１０とＵ形底板２０とを定位させて一つのボックス体を形成し、弧形斜角面２３と弧形斜角面１２の設計を通してペットキャリーボックス全体構造強度と剛性を補強する。
【００１３】
逆Ｕ形上板１０側面と前方門板２１と後方門板２２には若干の通風孔１４と通風孔２５を設け、通風孔１４と通風孔２５の外側には空気調節板３０を設ける。
【００１４】
空気調節板３０表面には通風孔１４と通風孔２５に対応する調節孔３１を設け、空気調節板３０両側には長形の可動孔３２を設け、リベット固定部品Ｐを可動孔３２に通して逆Ｕ形上板１０側面と前方門板２１、後方門板２２に連結固定し、これにより空気調節板３０は可動孔３２を使って移動することが可能となり通風孔１４、通風孔２５の大きさを調節する。
【００１５】
逆Ｕ形上板１０の上面にはペットキャリーボックスを便利に携帯するための取手１５を設け、両側の雄止具１３上にはショルダーベルト１７の両端のナスカン１８を引き掛けるための引掛孔１６を設計し、ペットキャリーボックスを肩に掛けて便利に運ぶことが可能となる（図９参照）。
【００１６】
本発明の提供する構造、装置によって製作される折り畳み式ペットキャリーボックスの実際操作は次の通りである。
【００１７】
図１０に本発明の使用状態図を示す。使用時、雌止具２４と雄止具１３を開くだけで前方門板２１、後方門板２２を開くか閉じてペットの便利な出し入れが可能となる。同時に空気調節板３０上の調節孔３１を利用し通風孔１４、通風孔２５の大きさを調整すると（図１１参照）ペットに快適で通風の良好な空間を与えることができる。
【００１８】
図１２及び図１３には本発明の折り畳み状態図（１）（２）を示す。包装、運輸、在庫、携帯、収納する場合、逆Ｕ形上板１０とＵ形底板２０を折り畳んで平板状にするだけでよく、便利且つ空間を取らず非常に実用的である。
【００１９】
図１４に本発明の別の実施例に関する立体図を示す。逆Ｕ形上板１０と左右門板の間に孤形折曲線を設け、これにより相互に対応する弧形斜角面１２を形成し、前記弧形斜角面１２上には若干の通風孔１４を設け、前記通風孔１４の外側には空気調節板３０を設ける。
【００２０】
前述した通り本発明の提供する折り畳み式ペットキャリーボックスは本発明者が実際に製作し繰り返し操作テストを行った後、確実に本発明の予期する効果を達成することを証明し、しかも同時に現在市場には例を見ない「初めての創作」であり「産業上の利用価値」を備え、発明特許の成立要件を満たしている故、ここに特許法の規定に依拠し貴庁に対し出願を行う。
【符号の説明】
【００２１】
１０  逆Ｕ形上板
１１  翼片
１２  弧形斜角面
１３  雄止具
１４  通風孔
１５  取手
１６  引掛孔
１７  ショルダーベルト
１８  ナスカン
２０  Ｕ形底板
２１  前方門板
２２  後方門板
２３  弧形斜角面
２４  雌止具
２５  通風孔
３０  空気調節板
３１  調節孔
３２  可動孔
４０  クッション
Ｐ  リベット固定部品  
【図１】
2012010681.tif 000003
【図２】
2012010681.tif 000004
【図３】
2012010681.tif 000005
【図４】
2012010681.tif 000006
【図５】
2012010681.tif 000007
【図６】
2012010681.tif 000008
【図７】
2012010681.tif 000009
【図８】
2012010681.tif 000010
【図９】
2012010681.tif 000011
【図１０】
2012010681.tif 000012
【図１１】
2012010681.tif 000013
【図１２】
2012010681.tif 000014
【図１３】
2012010681.tif 000015
【図１４】
2012010681.tif 000016